(57)【要約】【課題】カバー(cover)の慣性作用を避けるごみばこの装置を提供する。【解決手段】主に、緩衝装置の緩衝端を経由して、カバー(cover)の押し部につっかいをする。弾性装置の弾性がリリース(release)したら、上へ開けられるカバー(cover)が緩衝装置にタッチするときに、押し部が緩衝端を押す。そのときに、弾性装置の弾性が緩衝装置の減衰力より大きいので、カバー(cover)は依然として、ゆっくりと上へ開けられる。そうすると、ごみばこの急速に上へ開けられるときの慣性作用で、生じる音及び当たりを避けることができる。【選択図】図２
0003127306.tif 000002
【実用新案登録請求の範囲】
【請求項１】
ごみばこのカバー(cover)の慣性作用を避ける装置において、主にカバー(cover)を設け、
弾性装置を経由して，台座に枢設し、カバー(cover)を押したら，カバー(cover)は自動的に開けられ、
緩衝装置の一端は固定端であり、台座の適当な箇所に固定される一方、その別端は緩衝端であり、弾性に開けられるカバー(cover)で、緩衝端を押すことで、カバー(cover)の開けられる速度を低減させることを特徴とするごみばこのカバー(cover)の慣性作用を避ける装置。
【請求項２】
緩衝装置は弾性を持つユニット(unit)であることを特徴とする請求項１記載のごみばこのカバー(cover)の慣性作用を避ける装置。
【請求項３】
緩衝装置は弾性薄片を採用することを特徴とする請求項1又は２記載のごみばこのカバー(cover)の慣性作用を避ける装置。
【請求項４】
緩衝装置の緩衝端は逆様なU字形であることを特徴とする請求項３記載のごみばこのカバー(cover)の慣性作用を避ける装置。
【請求項５】
逆様なU字形の箇所に、ノッチ(notch)を設けることで、緩衝端の折り曲げられる効果を奏することを特徴とする請求項４記載のごみばこのカバー(cover)の慣性作用を避ける装置。
【請求項６】
緩衝装置の外に、保護カバー(cover)があることを特徴とする請求項１記載のごみばこのカバー(cover)の慣性作用を避ける装置。
【請求項７】
保護カバー(cover)は弧状の薄片を用いて、緩衝装置を覆うことを特徴とする請求項６記載のごみばこのカバー(cover)の慣性作用を避ける装置。
【請求項８】
保護カバー(cover)に、嵌め合い部を設け、台座の適当な箇所に嵌め合い孔を配置することで、保護カバー(cover)を台座にはめることを特徴とする請求項６又は７記載のごみばこのカバー(cover)の慣性作用を避ける装置。
【請求項９】
台座に、固定部があり、緩衝装置を固定部に固定することを特徴とする請求項１記載のごみばこのカバー(cover)の慣性作用を避ける装置。
【考案の詳細な説明】
【技術分野】
【０００１】
本考案はごみばこに係り、特に、カバー(cover)が緩衝作用を持つごみばこに関するものである。
【背景技術】
【０００２】
図１１を御参照して下さい。それは従来から、既知の押しタイプのごみばこを示す説明図である。ユーザ(user)がごみばこ９０のカバー(cover)９１を押すときに、カバー(cover)９１と筒体９２との枢設箇所に設置する弾性体９３のリリース(release)を経由して、ごみばこ９０のカバー(cover)９１は自動に開けられる。弾性のリリース(release)で開けられるごみばこ９０は自動釈放の弾性エネルギー(energy)が大き過ぎるせいで、いつも、開放の瞬間に、カバー(cover)９１を上へ開けて、慣性作用のために、ごみばこ９０は揺れて、当たりの音も出て来る。
【考案の開示】
【考案が解決しようとする課題】
【０００３】
従来から、既知のごみ箱はカバー(cover)の開けられるときに、いつも、騒音、当たりの音を招くので、ユーザ(user)にとって、不便だと分かり、改良しなければならない。本考案の提案者はその欠点を克服するために、自動に開けられて、慣性作用の招いた騒音を避けるというごみばこを研究、開発している。
【課題を解決するための手段】
【０００４】
即ち、本考案により、ごみばこのカバー(cover)の慣性作用を避ける装置の解決したい技術問題は次のとおりである。従来から既知のごみばこのカバー(cover)が開けられるときに、慣性の作用で、いつも騒音を生じて、ユーザ(user)の不便をもたらす。ごみばこの品質が向上できず、改良しなければならない。そんな問題を解決するために、本考案の提案者は積極的に研究したり、開発したり、ようやく緩衝効果を持ち、自動的に開けられるカバー(cover)を創造する。使用のときに、音が出て来ない。利便だけでなく、製品の競争力も向上される。
【０００５】
前掲の目的を達成するために、本考案により、ごみばこのカバー(cover)の慣性作用を避ける装置は台座及びカバー(cover)を含む。一方、両者の間に、弾性装置が枢設されるので、カバー(cover)を開けるときに、自動的に、全開の状態まで至る。また、緩衝装置もある。減衰力を持つので、自動的に開けられるカバー(cover)はブレーキの効果が生じる。カバー(cover)の慣性作用で、快速に上へ開けられて、振動及び音を招くということを避ける。
【考案を実施するための最良の形態】
【０００６】
本案の採用される技術手段及び効果などをご了解 なさるために、以下、さらに具体的な実施例に図面をあわせて詳しく説明してみよう。しかしながら、それは説明だけで、実用新案登録の請求範囲内であれば、いずれの制限もなかった。
【０００７】
まずは図１を御参照して下さい。それは本考案の第一実施例の立体外観図である。本考案のごみばこは筒体１、蓋２を含む。蓋２は筒体１に被せられる。蓋２は台座１０及びカバー(cover)２０を含む。両者の間に、弾性装置３０が枢設される。カバー(cover)２０を開ける時に、自動的に、全開の状態まで至る。緩衝装置４０は減衰力がある。自動的に開けられるカバー(cover)２０はブレーキ(brake)の効果が生じる。それで、カバー(cover)２０の快速に上へ開けられるときに、出て来る振動及び音を避ける。保護カバー(cover)５０は緩衝装置４０の外側に設けられて、緩衝装置４０を破壊しないように保護する。
【０００８】
図２を御参照して下さい。それは本考案の立体分解図である。本案の台座１０は凹むように、収容部１１を形成する。収容部１１の適当な箇所に、数多の薄片状の接続部１２を設置する。本例ならば、四つの接続部１２を設ける。接続部１２に、嵌め合い部１３を配置する。収容部１１から、下へ延伸して、折り曲げるように、固定部１４を形成する。本実施例ならば、二つの固定部１４がある。固定部１４に、一つの固定孔１４１及び二つの嵌め合い孔１４２を設ける。
【０００９】
カバー(cover)２０は台座１０に枢設される。その一端に、枢設部２１がある。枢設部２１は薄片状になって、枢設孔２２がある。本実施例ならば、二つの枢設部２１を設ける。カバー(cover)２０には、枢設部２１に隣接する位置から、押し部２３は延伸して形成される。
【００１０】
弾性装置３０はねじりばねを採用する。弾性装置３０は台座１０の嵌め合い部１３にはめられる。本実施例ならば、二つの弾性装置３０がある。
【００１１】
緩衝装置４０は弾性のユニット(unit)を持ち、弾性薄片を採用してもよい。緩衝装置４０の一端は固定端４１である。それで、緩衝装置４０を固定部１４にセット(set)する。固定ユニット(unit)６０を経由して、固定孔１４１に締め付ける。別端は折り曲げられて、逆様なU字形の緩衝端４２になる。逆様なU字形の箇所に、ノッチ(notch)４３があるので、緩衝端４２の折り曲げられた効果はもっと目立つ。
【００１２】
保護カバー(cover)５０は弧状の薄片になる。緩衝装置４０をその中に覆う。その一端に、嵌め合い部５１を設けて、おりよく、固定部１４の嵌め合い孔１４２にはめられる。
【００１３】
図３を御参照して下さい。本案により、ただ一つの緩衝装置４０を採用するということを示す説明図である。弾性装置３０も一つしか設けない。そのときに、緩衝装置４０が一つだが、同じの効果を達成する。
【００１４】
図４を御参照して下さい。それは本案により、カバー(cover)２０を開ける状態を示す説明図である。カバー(cover)２０を押したら、カバー(cover)２０と台座１０を分離させる。弾性装置３０（図面に示せず）の弾性リリース(release)を経由して、カバー(cover)２０は自動的に上へ開けられる。
【００１５】
図５乃至図８を御参照して下さい。それは本案により、緩衝装置４０が減衰力を生じる動作図である。緩衝装置４０は台座１０の固定部１４にセット(set)される。緩衝装置４０の外に、保護カバー(cover)５０は設置される。保護カバー(cover)５０は緩衝装置４０を遮蔽するので、緩衝装置４０が外に露出されることなく、緩衝装置４０の破壊を避ける。カバー(cover)２０を開けるときに、弾性のリリース(release)で、カバー２０が快速に上へ開けられる。カバー(cover)２０の押し部２３が緩衝装置４０の緩衝端４２に当たるときに、本来、慣性作用で、快速に開けられるカバー(cover)２０は減衰力を得るので、速く、上へ開けられる速度を低減する。そのときに、弾性装置３０からリリース(release)される弾性エネルギー(energy)が緩衝装置４０の減衰力より大きいので、押し端２３は緩衝端４２を押しつづける。どころが、弾性エネルギー(energy)が減衰力に吸われるので、カバー(cover)２０はゆっくりと上へ開けられる。カバー(cover)２０が完全に、上へ開けられるときに、押し部２３が緩衝装置４０の緩衝端４２につっかいをするので、緩衝端４２は変形され、内へ折り曲げられる。
【００１６】
図９、図１０を御参照して下さい。それは本案第二実施例を示す説明図である。本実施例ならば、弾性装置３０’は異なる方式を採用する。アウター  ソケット(outer socket)３１’はインナー  ソケット(inner
socket)３２’をはめる。また、弾性体３３’を覆う。弾性装置３０’の一端（すなわち、アウター  ソケット(outer socket)３１’）をカバー(cover)２０にはめる。もう一端（すなわち、インナー  ソケット(inner socket)３２’）を台座１０にはめる。本例ならば、二つの緩衝装置４０があるので、緩衝の効果はもっと目立つ。
【００１７】
カバー(cover)２０は開けられる時に、弾性装置３０’の弾性のリリース(release)で、自動的に、開けられる。緩衝装置４０の止めで、ごみばこのカバー(cover)の慣性作用を避ける。
【００１８】
本考案により、ごみばこのカバー(cover)の慣性作用を避ける装置は緩衝装置の弾性薄片をカバー(cover)の押し部につっかいをする。弾性装置の弾性のリリース(release)で、開けられるカバー(cover)が緩衝装置にタッチするときに、押し部は緩衝装置に押される。そのときに、弾性エネルギー(energy)が緩衝装置の減衰力より大きいので、カバー(cover)が依然として、ゆっくり上へ開けられる。ごみばこのカバー(cover)の急速に上へ開けられる慣性作用で、招いた音及び当たりを避けることができる。
【００１９】
以上の内容をまとめると、本考案は次の利点がある。
１．本考案により、ごみばこのカバー(cover)の慣性作用を避ける装置は緩衝装置を経由して、カバー(cover)が上へ開けられるときに、減速の力が得るので、急速に上へ開けられる慣性作用を避ける。
【００２０】
２．本考案により、ごみばこのカバー(cover)の慣性作用を避ける装置は弾性薄片を緩衝装置とする。弾性薄片の減衰力を利用して、弾性装置の弾性エネルギー(energy)を相殺するので、弾性装置の上へ開けられる速度を低減させる。
【００２１】
３．本考案により、ごみばこのカバー(cover)の慣性作用を避ける装置は緩衝装置の前方に、保護カバー(cover)を設ける。保護カバー(cover)が弾性薄片を遮蔽するので、緩衝装置が外部に露出されることなく、緩衝装置の破壊を避ける。
【００２２】
それを調べてみると、本考案は確かに、産業の利用価値を持つ。同じ又は類似の考案が見えないし、国内外の文献も見えないし、公開的にも使用されていない。それは実用新案法の積極、消極要旨にぴったり合うので、実用新案登録の請求を認可して下さい。
【００２３】
しかしながら、以上は本考案の理想的な実施例だけで、本考案の実施範囲を制限しない。数値の変更、同じ効用のコンポーネント(component)の取換えをしても、いずれの変更、修飾をしても、その全ては本考案の請求範囲に含まれる。
【図面の簡単な説明】
【００２４】
【図１】本考案の第一実施例の立体外観図である。
【図２】本考案の第一実施例の立体分解図である。
【図３】本考案における緩衝装置の実施は一つを採用することを示す説明図である。
【図４】本考案のカバー(cover)を上へ開ける状態を示す説明図である。
【図５】本考案におけるカバー(cover)と台座の分離を示す場合のカバー(cover)を上へ開ける動作図である。
【図６】図５の延伸で、カバー(cover)が緩衝装置に押されることを示す説明図である。
【図７】図６の延伸で、カバー(cover)が上へ開けられることを示す説明図である。
【図８】図７の延伸で、カバー(cover)が上へ極限まで開けられることを示す説明図である。
【図９】本案の第二実施例の立体外観図である。
【図１０】本案の第二実施例の立体分解図である。
【図１１】従来のごみばこを示す説明図である。
【符号の説明】
【００２５】
１  筒体
２     カバー(cover)
１０  台座
１１  収容部
１２  接続部
１３  嵌め合い部
１４  固定部
１４１  固定孔
１４２  嵌め合い孔
２０  カバー(cover)
２１  枢設部
２２  枢設孔
２３   押し部
３０  弾性装置
３０’  弾性装置     
３１’  アウター  ソケット(outer
socket)
３２’  インナー  ソケット(inner
socket)
３３’   弾性体
４０  緩衝装置
４１  固定端
４２  緩衝端
４３  ノッチ(notch)
５０  保護カバー(cover)
５１  嵌め合い部
６０  固定ユニット(unit)
９０  ごみばこ
９１  カバー(cover)
９２  筒体
９３   弾性体
【図１】
0003127306.tif 000003
【図２】
0003127306.tif 000004
【図３】
0003127306.tif 000005
【図４】
0003127306.tif 000006
【図５】
0003127306.tif 000007
【図６】
0003127306.tif 000008
【図７】
0003127306.tif 000009
【図８】
0003127306.tif 000010
【図９】
0003127306.tif 000011
【図１０】
0003127306.tif 000012
【図１１】
0003127306.tif 000013